(57)【特許請求の範囲】
【請求項１】
顧客の操作により取引を行う自動取引装置と、自動取引装置で行われた取引を管理するホストコンピュータとを備えた自動取引システムにおいて、
前記自動取引装置に、アイリスパターン取得手段と、カード読取手段と、顧客が操作する入力手段と、照合手段と、取引を制御する取引制御手段とを設け、
前記ホストコンピュータには、顧客の口座番号とアイリスパターンとを対応させて登録したアイリスデータベースと、顧客の口座番号と暗証番号とを対応させて記憶する暗証番号保持部と、本人確認手段と、制御手段を備え、
前記自動取引装置は顧客のカードから前記カード読取手段が読み取った口座番号を前記ホストコンピュータに送り、ホストコンピュータの前記制御手段はその口座番号に該当するアイリスパターンを前記アイリスパターンデータベースから読み出して前記自動取引装置に返送し、前記自動取引装置の前記照合手段は前記アイリスパターン取得手段が取得した前記顧客のアイリスパターンと前記ホストコンピュータから受け取ったアイリスパターンを照合して、その照合結果により前記取引制御手段が前記顧客が前記カードの所有者であると判定した場合、前記入力手段から入力された暗証番号を前記ホストコンピュータに送り、ホストコンピュータの本人確認手段がその暗証番号と前記口座番号により前記暗証番号保持部から検索した暗証番号を照合して前記顧客が前記カードの所有者であることが確認された場合、前記顧客の取引を可能とすることを特徴とする自動取引システム。
【請求項２】
顧客の操作により取引を行う自動取引装置と、自動取引装置で行われた取引を管理するホストコンピュータとを備えた自動取引システムにおいて、
前記自動取引装置に、アイリスパターン取得手段と、カード読取手段と、顧客が操作する入力手段と、取引を制御する取引制御手段とを設け、
前記ホストコンピュータには、顧客の口座番号とアイリスパターンとを対応させて登録したアイリスパターンデータベースと、顧客の口座番号と暗証番号とを対応させて記憶する暗証番号保持部と、照合手段と、本人確認手段と、制御手段を備え、
前記自動取引装置は顧客のカードから前記カード読取手段が読み取った口座番号と前記アイリスパターン取得手段が取得した前記顧客のアイリスパターンを前記ホストコンピュータに送り、前記ホストコンピュータの前記照合手段が前記自動取引装置から受け取った口座番号により前記アイリスパターンデータベースから読み出したアイリスパターンを照合して、その照合結果を前記自動取引装置に送り、自動取引装置の取引制御手段が前記ホストコンピュータから受け取った照合結果により前記顧客が前記カードの所有者であると判定した場合、前記自動取引装置の前記入力手段から入力された暗証番号を前記ホストコンピュータに送り、ホストコンピュータの前記本人確認手段がその暗証番号と前記口座番号により前記暗証番号保持部から検索した暗証番号を照合して前記顧客が前記カードの所有者であることが確認された場合、前記顧客の取引を可能とすることを特徴とする自動取引システム。
【請求項３】
顧客の操作により取引を行う自動取引装置と、自動取引装置で行われた取引を管理するホストコンピュータとを備えた自動取引システムにおいて、
前記自動取引装置に、アイリスパターン取得手段と、カード読取手段と、顧客が操作する入力手段と、照合手段と、取引を制御する取引制御手段とを設け、
前記ホストコンピュータには、顧客の口座番号とアイリスパターンとを対応させて登録したアイリスデータベースと、顧客の口座番号と暗証番号とを対応させて記憶した暗証番号保持部と、本人確認手段と、制御手段を備え、
前記自動取引装置は顧客のカードから前記カード読取手段が読み取った口座番号と前記入力手段から入力された暗証番号を前記ホストコンピュータに送り、ホストコンピュータの前記本人確認手段がその暗証番号と前記口座番号により前記暗証番号保持部から検索した暗証番号を照合して前記顧客が前記カードの所有者であることが確認された場合、前記制御手段はその口座番号に該当するアイリスパターンを前記アイリスパターンデータベースから読み出して前記自動取引装置に返送し、前記自動取引装置の前記照合手段は前記アイリスパターン取得手段が取得した前記顧客のアイリスパターンと前記ホストコンピュータから受け取ったアイリスパターンを照合して、その照合結果により前記取引制御手段が前記顧客が前記カードの所有者であると判定した場合、前記顧客の取引を可能とすることを特徴とする自動取引システム。
【請求項４】
顧客の操作により取引を行う自動取引装置と、自動取引装置で行われた取引を管理するホストコンピュータとを備えた自動取引システムにおいて、
前記自動取引装置に、アイリスパターン取得手段と、顧客が操作する入力手段と、取引を制御する取引制御手段とを設け、
前記ホストコンピュータには、顧客の暗証番号とアイリスパターンとを対応させて登録したアイリスパターンデータベースと、照合手段を備え、
前記自動取引装置は前記アイリスパターン取得手段が取得した前記顧客のアイリスパターンと前記入力手段から入力された暗証番号を前記ホストコンピュータに送り、前記ホストコンピュータの前記照合手段が前記自動取引装置から受け取った暗証番号により前記アイリスパターンデータベースから読み出したアイリスパターンと前記自動取引装置から受け取ったアイリスパターンを照合して、その照合結果をホストコンピュータから前記自動取引装置に送り、その照合結果により前記自動取引装置の前記取引制御手段が前記顧客がカードの所有者であると判定した場合、前記自動取引装置の前記入力手段から入力された暗証番号を前記ホストコンピュータに送り、ホストコンピュータの前記本人確認手段がその暗証番号と前記口座番号により前記暗証番号保持部から検索した暗証番号を照合して前記顧客が前記カードの所有者であることが確認された場合、前記顧客の取引を可能とすることを特徴とする自動取引システム。
【請求項５】
請求項１から請求項４のいずれか１項に記載の自動取引システムにおいて、
顧客のアイリスパターンを取得するアイリスパターン取得手段と、前記アイリスパターンを前記アイリスデータベースに書き込む書込手段とからなるアイリスパターン登録装置を具備したことを特徴とする自動取引システム。
【発明の詳細な説明】
【０００１】
【発明の属する技術分野】
本発明は、本人確認処理にアイリスパターンを利用した自動取引システムに関する。
【０００２】
【従来の技術】
金融機関の窓口業務に対する負担軽減のために、顧客が操作する自動取引装置が広く普及している。この装置は、顧客が取引の種類を選択し、キャッシュカードや通帳等を投入することによって、その取引を自動的に実行する。こうした自動取引装置（ＡＴＭ）は、銀行の預貯金取引のみならず、年金支給等の現金を取り扱う業務に広く利用されようとしている。従来、年金支給業務は、顧客が金融機関の窓口において、本人確認のための身分証明書を提出し、係員がその照合を行うといった手続がとられていた。
【０００３】
【発明が解決しようとする課題】
ところで、上記のような年金支給等の業務を自動取引装置を用いて行おうとすると次のような解決すべき課題が発生した。
自動取引装置を用いて預金の引き出しをする場合には、顧客はキャッシュカードを自動取引装置に投入して暗証番号を入力する。この暗証番号は、通常、４桁程度の数字の組み合わせにより構成されており、必ずしも安定性の面で確実とは言えない。しかも、暗証番号を知っていれば本人以外の者でも操作が可能である。年金支給は原則として本人のみ受け取ることができるもので、自動取引装置に暗証番号の入力のみならず、本人確認機能も付加することが必要となる。
【０００５】
【課題を解決するための手段】
上記問題点を解決するため、本発明は、顧客の操作により取引を行う自動取引装置と、自動取引装置で行われた取引を管理するホストコンピュータとを備えた自動取引システムにおいて、前記自動取引装置に、アイリスパターン取得手段と、カード読取手段と、顧客が操作する入力手段と、照合手段と、取引を制御する取引制御手段とを設け、前記ホストコンピュータには、顧客の口座番号とアイリスパターンとを対応させて登録したアイリスデータベースと、顧客の口座番号と暗証番号とを対応させて記憶する暗証番号保持部と、本人確認手段と、制御手段を備え、前記自動取引装置は顧客のカードから前記カード読取手段が読み取った口座番号を前記ホストコンピュータに送り、ホストコンピュータの前記制御手段はその口座番号に該当するアイリスパターンを前記アイリスパターンデータベースから読み出して前記自動取引装置に返送し、前記自動取引装置の前記照合手段は前記アイリスパターン取得手段が取得した前記顧客のアイリスパターンと前記ホストコンピュータから受け取ったアイリスパターンを照合して、その照合結果により前記取引制御手段が前記顧客が前記カードの所有者であると判定した場合、前記入力手段から入力された暗証番号を前記ホストコンピュータに送り、ホストコンピュータの本人確認手段がその暗証番号と前記口座番号により前記暗証番号保持部から検索した暗証番号を照合して前記顧客が前記カードの所有者であることが確認された場合、前記顧客の取引を可能とすることを特徴とする。
【０００６】
また、本発明は、顧客の操作により取引を行う自動取引装置と、自動取引装置で行われた取引を管理するホストコンピュータとを備えた自動取引システムにおいて、前記自動取引装置に、アイリスパターン取得手段と、カード読取手段と、顧客が操作する入力手段と、取引を制御する取引制御手段とを設け、前記ホストコンピュータには、顧客の口座番号とアイリスパターンとを対応させて登録したアイリスパターンデータベースと、顧客の口座番号と暗証番号とを対応させて記憶する暗証番号保持部と、照合手段と、本人確認手段と、制御手段を備え、前記自動取引装置は顧客のカードから前記カード読取手段が読み取った口座番号と前記アイリスパターン取得手段が取得した前記顧客のアイリスパターンを前記ホストコンピュータに送り、前記ホストコンピュータの前記照合手段が前記自動取引装置から受け取った口座番号により前記アイリスパターンデータベースから読み出したアイリスパターンを照合して、その照合結果を前記自動取引装置に送り、自動取引装置の取引制御手段が前記ホストコンピュータから受け取った照合結果により前記顧客が前記カードの所有者であると判定した場合、前記自動取引装置の前記入力手段から入力された暗証番号を前記ホストコンピュータに送り、ホストコンピュータの前記本人確認手段がその暗証番号と前記口座番号により前記暗証番号保持部から検索した暗証番号を照合して前記顧客が前記カードの所有者であることが確認された場合、前記顧客の取引を可能とすることを特徴とする。
【０００８】
また、本発明は、顧客の操作により取引を行う自動取引装置と、自動取引装置で行われた取引を管理するホストコンピュータとを備えた自動取引システムにおいて、前記自動取引装置に、アイリスパターン取得手段と、カード読取手段と、顧客が操作する入力手段と、照合手段と、取引を制御する取引制御手段とを設け、前記ホストコンピュータには、顧客の口座番号とアイリスパターンとを対応させて登録したアイリスデータベースと、顧客の口座番号と暗証番号とを対応させて記憶した暗証番号保持部と、本人確認手段と、制御手段を備え、前記自動取引装置は顧客のカードから前記カード読取手段が読み取った口座番号と前記入力手段から入力された暗証番号を前記ホストコンピュータに送り、ホストコンピュータの前記本人確認手段がその暗証番号と前記口座番号により前記暗証番号保持部から検索した暗証番号を照合して前記顧客が前記カードの所有者であることが確認された場合、前記制御手段はその口座番号に該当するアイリスパターンを前記アイリスパターンデータベースから読み出して前記自動取引装置に返送し、前記自動取引装置の前記照合手段は前記アイリスパターン取得手段が取得した前記顧客のアイリスパターンと前記ホストコンピュータから受け取ったアイリスパターンを照合して、その照合結果により前記取引制御手段が前記顧客が前記カードの所有者であると判定した場合、前記顧客の取引を可能とすることを特徴とする。
【００１０】
また、本発明は、顧客の操作により取引を行う自動取引装置と、自動取引装置で行われた取引を管理するホストコンピュータとを備えた自動取引システムにおいて、前記自動取引装置に、アイリスパターン取得手段と、顧客が操作する入力手段と、取引を制御する取引制御手段とを設け、前記ホストコンピュータには、顧客の暗証番号とアイリスパターンとを対応させて登録したアイリスパターンデータベースと、照合手段を備え、前記自動取引装置は前記アイリスパターン取得手段が取得した前記顧客のアイリスパターンと前記入力手段から入力された暗証番号を前記ホストコンピュータに送り、前記ホストコンピュータの前記照合手段が前記自動取引装置から受け取った暗証番号により前記アイリスパターンデータベースから読み出したアイリスパターンと前記自動取引装置から受け取ったアイリスパターンを照合して、その照合結果をホストコンピュータから前記自動取引装置に送り、その照合結果により前記自動取引装置の前記取引制御手段が前記顧客がカードの所有者であると判定した場合、前記自動取引装置の前記入力手段から入力された暗証番号を前記ホストコンピュータに送り、ホストコンピュータの前記本人確認手段がその暗証番号と前記口座番号により前記暗証番号保持部から検索した暗証番号を照合して前記顧客が前記カードの所有者であることが確認された場合、前記顧客の取引を可能とすることを特徴とする。
【００１１】
上記構成の自動取引システムにおいて、顧客のアイリスパターンを取得するアイリスパターン取得手段と、前記アイリスパターンを前記アイリスデータベースに書き込む書込手段とからなるアイリスパターン登録装置を具備したことを特徴とする。
【００１２】
【発明の実施の形態】
以下、図に示す実施の形態により本発明をさらに詳細に説明する。なお、これにより本発明が限定されるものではない。
−第１の実施の形態−
図１は、本発明の第１の実施の形態の自動取引装置の外見斜視図である。
【００１３】
この自動取引装置１００は、銀行などの金融機関に設置されているもので、装置本体１と、取引業務表示２と、キャッシュカード（以下、カードと言う。）を挿入および排出するためのカード挿入排出口３と、通帳を挿入および排出するための通帳挿入排出口４と、硬貨入出金口５と、紙幣入出金口６と、暗証番号または取引データを入力するための操作パネル７と、顧客の頭部の映像を撮り込むカメラ１０とを具備した構成である。なお、この装置を、年金支給に利用するものとする。
【００１４】
図２は、上記自動取引装置１００の要部構成図である。
内部的に、上記自動取引装置１００は、上記カード挿入排出口３から挿入されたカードＣに書き込まれたカード所有者のアイリスパターンと口座番号とを読み取るカード読取部１２と、カメラ１０で得た顧客の頭部の映像から瞳孔（以下、アイリスと言う。）の特徴を抽出してコード化（以下、アイリスパターンと言う。）するアイリス特徴抽出部１１と、前記カードから読み取ったアイリスパターンと、前記カメラで取得した映像から切り取ったアイリスパターンとを照合することにより前記顧客がカードの所有者であるか否かを判定する照合部１３と、前記照合部１３が前記顧客がカードの所有者であると判定した場合に前記顧客による取り引きを可能とすると共に前記口座番号と前記暗証番号と前記取引データをホストコンピュータ２０に送信する取引制御部１４とを具備した構成である。
【００１５】
前記カードＣは、例えばＩＣカードであり、集積化されたメモリが埋め込まれている。前記メモリには、口座番号とカード所有者のアイリスパターンとが書き込まれている。
図３に、カードＣにカード所有者のアイリスパターンを書き込ために用いるアイリスパターン登録装置を示す。
【００１６】
このアイリスパターン登録装置３０は、カード所有者の頭部の映像を撮り込むカメラ３１と、カメラ１０によって撮り込まれた映像に対して前処理を行って目の映像とその目の映像からアイリスを切り出すと共に切り出したアイリスのアイリスパターンを抽出すると共にそのアイリスパターンをカードに書き込むアイリス特徴抽出部３２とを具備した構成である。なお、前記アイリスパターンは、例えば２５６バイトの情報であり、必要な分析帯の分割や、ガボールフィルタなどを用いることにより抽出することができる。
【００１７】
次に、前記自動取引装置１００の動作について説明する。
年金を受けるときは、まず、顧客がカードＣをカード挿入排出口３に挿入する。すると、カード読取部１２は、そのカードＣのメモリに記憶されているカード所有者のアイリスパターンと口座番号を読み取って照合部１３に渡す。
一方、カメラ１０は顧客の頭部の映像を撮り込み、アイリス特徴抽出部１１はその顧客の頭部の映像に対して前処理を行って目の映像とその目の映像からアイリスを切り出すと共に切り出したアイリスのアイリスパターンを抽出して照合部１３に渡す。
【００１８】
次に、照合部１３は、カード所有者のアイリスパターンと顧客のアイリスパターンとを比較することにより両アイリスパターン間の一致度を求めて取引制御部１４に渡す。
取引制御部１４は、前記一致度に基づいて顧客がカード所有者であるか否かを判断すると共に、顧客がカード所有者であると判断した場合に前記顧客に操作パネル７から取引データ（例えば、暗証番号や、金額等）を入力するように指示をする。そして、顧客が入力した取引データをホストコンピュータ２０に送信して取り引きを開始する。前記取り引きとは、例えば、顧客に対し該当する年金の支給である。なお、顧客がカード所有者でないと判断した場合に操作パネル７から取引データのを入力を拒否し、顧客に年金を支給しないようにする。
【００１９】
前記ホストコンピュータ２０の構成と動作は従来と同様であるため、その説明を省略する。
上記自動取引装置１００によれば、顧客が投入したカードに登録されたカード所有者のアイリスパターンと顧客自身の目から採取したアイリスパターンとを照合して顧客がカード所有者であることを確実に認識でき、その結果に基づいて年金支給等の取り引きを実行するため、例えば本人以外の者が暗証番号を知っていても取り引きを行うことができなくなる。また、本人確認のための身分証明書の確認が不要となるため、係員への負担を軽減することが可能となる。
−第２の実施の形態−
図４は、本発明の第２の実施の形態の自動取引システムの要部構成図である。
【００２０】
この自動取引システム２００は、自動取引装置１１０と、ホストコンピュータ４０と、アイリスパターン登録装置３０とを具備して構成される。
自動取引装置１１０の外見は、図１の自動取引装置１００の外見と同様であるためその説明を省略する。
上記自動取引装置１１０は、カード挿入排出口３から挿入されたカードＤに書き込まれたカード所有者の口座番号を読み取るカード読取部１２と、カメラ１０で得た顧客の頭部の映像からアイリスパターンを抽出するアイリス特徴抽出部１１と、顧客の頭部の映像から取得した前記アイリスパターンとホストコンピュータ４０から通信制御部１５を介して受け取るカード所有者のアイリスパターンとを照合することにより前記顧客がカード所有者であるか否かを判定する照合部１３と、前記照合部１３が前記顧客がカード所有者であると判定した場合に前記顧客による取り引きを可能とすると共に前記口座番号と操作パネルから入力される暗証番号と取引データを前記通信制御部１５を介してホストコンピュータ４０に送信する取引制御部１４とを具備した構成である。
【００２１】
前記カードＤには、従来と同様に、口座番号が記録されている。
上記ホストコンピュータ４０は、自動取引装置１１０から口座番号と暗証番号と取引データを受け取って制御部４２に渡す通信制御部４１と、口座番号と暗証番号の対応テーブルを記憶する暗証番号保持部４３と、自動取引装置１１０から受け取った口座番号と暗証番号および口座番号と暗証番号の前記対応テーブルに基づいて本人確認を行う本人確認処理部４４と、顧客の取り引きの内容を記憶する取引データベース４５と、口座番号とアイリスパターンの対応テーブルを記憶するアイリスパターンデータベース４６とを具備した構成である。
【００２２】
上記アイリスパターン登録装置３０の構成は、図３のアイリスパターン登録装置と同様であるが、アイリス特徴抽出部３２は、抽出したアイリスパターンをカードに書き込む代わりに上記ホストコンピュータ４０に送信する。
次に、前記自動取引システム２００の動作について説明する。
年金を受けるときは、まず、顧客がカードＤをカード挿入排出口３に挿入する。すると、カード読取部１２は、そのカードＤに記録されているカード所有者の口座番号を読み取って取引制御部１４に渡す。
【００２３】
一方、カメラ１０は顧客の頭部の映像を撮り込み、アイリス特徴抽出部１１はその顧客の頭部の映像に対して前処理を行って目の映像とその目の映像からアイリスを切り出すと共に切り出したアイリスのアイリスパターンを抽出して照合部１３に渡す。
次に、取引制御部１４は、前記口座番号を通信制御部１５を介してホストコンピュータ４０に送信する。
【００２４】
ホストコンピュータ４０の制御部４２は、通信制御部４１を介して前記口座番号を受け取ると共に、アイリスパターンデータベース４６の口座番号とアイリスパターンの対応テーブルを検索して前記口座番号に対応するカード所有者のアイリスパターンを割り出して通信制御部４１を介して自動取引装置１１０に送信する。
【００２５】
次に、自動取引装置１１０の照合部１３は、通信制御部１５を介して前記カード所有者のアイリスパターンを受け取ると共に、顧客の映像から取得した前記アイリスパターンと前記カード所有者のアイリスパターンとを比較することにより両アイリスパターン間の一致度を求めて取引制御部１４に渡す。
取引制御部１４は、前記一致度に基づいて顧客がカード所有者であるか否かを判断すると共に、顧客がカード所有者であると判断した場合に前記顧客に操作パネル７から暗証番号と取引データ（例えば、金額等）を入力するように指示をする。そして、顧客が入力した暗証番号と取引データをホストコンピュータ４０に送信する。
【００２６】
ホストコンピュータ４０の制御部４２は、前記暗証番号と取引データを受け取って、前記暗証番号を本人確認処理部４４に渡す。
本人確認処理部４４は、暗証番号保持部４３の口座番号と暗証番号の対応テーブルを検索してカード保持者の暗証番号を取得し、そのカード保持者の暗証番号が自動取引装置１１０から送られてきた前記暗証番号と一致するか否かによって本人確認を行い、顧客がカード保持者であるならば、前記取引データに基づく取り引きを開始する。一方、顧客がカード所有者でないと判断した場合に顧客に対して取り引きができないようにする。
【００２７】
上記自動取引システム２００によれば、顧客が投入したカードに記録された口座番号から割り出したカード所有者のアイリスパターンと顧客自身の目から採取したアイリスパターンと、口座番号から割り出したカード所有者の暗証番号と顧客が入力した暗証番号とから顧客がカード所有者であることを確実に認識することができるため、本人確認処理の安全性、確実性が増す。また、アイリスパターンデータベースをホストコンピュータ側に保存するため、アイリスパターンの集中管理が可能となる。また、アイリスパターンの照合を自動取引装置側で行うため、ホストコンピュータへの負担が軽減される。
−第３の実施の形態−
図５は、本発明の第３の実施の形態の自動取引システムの要部構成図である。
【００２８】
この自動取引システム３００の構成は、上記自動取引システム２００の構成と同様であるためその説明を省略する。
次に、前記自動取引システム３００の動作について説明する。
年金を受けるときは、まず、顧客がカードＤをカード挿入排出口３に挿入する。すると、カード読取部１２は、そのカードＤに記録されているカード所有者の口座番号を読み取って取引制御部１４に渡す。また、顧客が操作パネル７から暗証番号を入力する。
【００２９】
一方、カメラ１０は顧客の頭部の映像を撮り込み、アイリス特徴抽出部１１はその顧客の頭部の映像に対して前処理を行って目の映像とその目の映像からアイリスを切り出すと共に切り出したアイリスのアイリスパターンを抽出して照合部１３に渡す。
次に、取引制御部１４は、前記口座番号と暗証番号を通信制御部１５を介してホストコンピュータ４０に送信する。
【００３０】
ホストコンピュータ４０の制御部４２は、通信制御部４１を介して前記口座番号と暗証番号を受け取ると共に、その口座番号と暗証番号を本人確認処理部４４に渡す。
本人確認処理部４４は、暗証番号保持部４３の口座番号と暗証番号の対応テーブルを検索して前記口座番号に対応するカード保持者の暗証番号を取得し、そのカード保持者の暗証番号が自動取引装置１１０から送られてきた前記暗証番号と一致するか否かによって本人確認を行う。
【００３１】
制御部４２は、本人確認処理部４４が顧客がカード保持者であると判断したならば、アイリスパターンデータベース４６の口座番号とアイリスパターンの対応テーブルを検索して前記口座番号に対応するカード所有者のアイリスパターンを割り出して通信制御部４１を介して自動取引装置１１０に送信する。一方、制御部４２は、本人確認処理部４４が顧客がカード保持者でないと判断したならば、顧客による取り引きが実行できないようにする。
【００３２】
次に、自動取引装置１１０の照合部１３は、通信制御部１５を介して前記カード所有者のアイリスパターンを受け取ると共に、顧客の映像から取得した前記アイリスパターンと前記カード所有者のアイリスパターンとを比較することにより両アイリスパターン間の一致度を求めて取引制御部１４に渡す。
取引制御部１４は、前記一致度に基づいて顧客がカード所有者であるか否かを判断すると共に、顧客がカード所有者であると判断した場合に前記顧客に操作パネル７から取引データを入力するように指示をする。そして、顧客が入力した取引データをホストコンピュータ４０に送信して、前記取引データに基づく取り引きを開始する。一方、顧客がカード保持者でないと判断した場合に、顧客による取り引きが実行できないようにする。
【００３３】
上記自動取引システム３００によれば、まず、顧客が投入したカードに記録された口座番号から割り出したカード所有者の暗証番号と顧客が入力した暗証番号とから顧客がカード所有者であることを確認してから、口座番号から割り出したカード所有者のアイリスパターンと顧客自身の目から採取したアイリスパターンによる本人確認を行うため、暗証番号による本人確認で顧客がカード所有者でないことが解ったときにアイリスパターンによる本人確認を行わなくて済むので、操作が簡略化される。また、アイリスパターンはほぼ本人に間違いないような場合にのみホストコンピュータから自動取引装置に送信されるから、通信回線のトラフィック減少ができることとなる。
−第４の実施の形態−
図６は、本発明の第４の実施の形態の自動取引システムの要部構成図である。
【００３４】
この自動取引システム４００は、自動取引装置１２０と、ホストコンピュータ５０と、アイリスパターン登録装置３０とを具備して構成される。
自動取引装置１２０の外見は、図１の自動取引装置１００の外見と同様であるためその説明を省略する。
上記自動取引装置１２０は、カード挿入排出口３から挿入されたカードＤに書き込まれたカード所有者の口座番号を読み取るカード読取部１２と、カメラ１０で得た顧客の頭部の映像からアイリスパターンを抽出するアイリス特徴抽出部１１と、暗証番号や取引データを入力するための操作パネル７と、前記顧客がカード所有者であると判断した場合に、前記取引データに基づいて取り引きを行う取引制御部１４と、前記アイリスパターンと暗証番号と取引データをホストコンピュータ５０に送信する通信制御部１５とを具備した構成である。
【００３５】
前記カードＤには、従来と同様に、口座番号が記録されている。
上記ホストコンピュータ５０は、自動取引装置１２０からアイリスパターンと口座番号と暗証番号と取引データを受け取って制御部４２に渡す通信制御部４１と、口座番号と暗証番号の対応テーブルを記憶する暗証番号保持部４３と、自動取引装置１２０から受け取った口座番号と暗証番号および口座番号と暗証番号の前記対応テーブルに基づいて本人確認を行う本人確認処理部４４と、顧客の取り引きの内容を記憶する取引データベース４５と、口座番号とアイリスパターンの対応テーブルを記憶するアイリスパターンデータベース４６と、自動取引装置１２０から受け取った口座番号とアイリスパターンおよび口座番号とアイリスパターンの前記対応テーブルに基づいて本人確認を行う照合部４７とを具備した構成である。
【００３６】
上記アイリスパターン登録装置３０の構成は、図３のアイリスパターン登録装置と同様であるが、アイリス特徴抽出部３２は、抽出したアイリスパターンをカードに書き込む代わりに上記ホストコンピュータ４０に送信する。
次に、前記自動取引システム４００の動作について説明する。
年金を受けるときは、まず、顧客がカードＤをカード挿入排出口３に挿入する。すると、カード読取部１２は、そのカードＤに記録されているカード所有者の口座番号を読み取って取引制御部１４に渡す。
【００３７】
一方、カメラ１０は顧客の頭部の映像を撮り込み、アイリス特徴抽出部１１はその顧客の頭部の映像に対して前処理を行って目の映像とその目の映像からアイリスを切り出すと共に切り出したアイリスのアイリスパターンを抽出して通信制御部１５に渡す。
通信制御部１５は、前記口座番号とアイリスパターンをホストコンピュータ５０に送信する。
【００３８】
次に、ホストコンピュータ５０の制御部４２は、通信制御部４１を介して前記口座番号と前記アイリスパターンとを受け取ると共に、それらの口座番号とアイリスパターンを照合部４７に渡す。照合部４７は、アイリスパターンデータベース４６の口座番号とアイリスパターンの対応テーブルを検索して前記口座番号に対応するカード所有者のアイリスパターンを割り出し、顧客の映像から取得した前記アイリスパターンと前記カード所有者のアイリスパターンとを比較することにより両アイリスパターン間の一致度を求めて制御部４２および通信制御部４１を介して自動取引装置１２０に送信する。
【００３９】
自動取引装置１２０の取引制御部１４は、前記一致度に基づいて顧客がカード所有者であるか否かを判断すると共に、顧客がカード所有者であると判断した場合に前記顧客に操作パネル７から暗証番号と取引データ（例えば、金額等）を入力するように指示をする。そして、顧客が入力した暗証番号と取引データをホストコンピュータ５０に送信する。
【００４０】
ホストコンピュータ５０の制御部４２は、前記暗証番号と取引データを受け取って、前記暗証番号を本人確認処理部４４に渡す。
本人確認処理部４４は、暗証番号保持部４３の口座番号と暗証番号の対応テーブルを検索してカード保持者の暗証番号を取得し、そのカード保持者の暗証番号が自動取引装置１１０から送られてきた前記暗証番号と一致するか否かによって本人確認を行い、顧客がカード保持者であるならば、前記取引データに基づく取り引きを開始する。一方、顧客がカード所有者でないと判断した場合に顧客に対して取り引きができないようにする。
【００４１】
上記自動取引システム４００によれば、アイリスパターンデータベースをホストコンピュータ側に保存するため、アイリスパターンの集中管理が可能となる。また、アイリスパターン照合をホストコンピュータ側で行うため、自動取引装置への負担が軽減される。
上記実施の形態ではアイリスパターンによる本人認識を行ってから暗証番号による本人認識を行うように説明したが、暗証番号による本人認識を行ってからアイリスパターンによる本人認識を行うようにしてもよい。これにより、暗証番号による本人確認で顧客がカード所有者でないことが解ったときにアイリスパターンによる本人確認を行わなくて済むので、操作が簡略化される。また、アイリスパターンはほぼ本人に間違いないような場合にのみホストコンピュータから自動取引装置に送信されるから、通信回線のトラフィック減少ができることとなる。
−第５の実施の形態−
図７は、本発明の第５の実施の形態の自動取引システムの要部構成図である。
【００４２】
この自動取引システム５００は、自動取引装置１２０と、ホストコンピュータ６０と、アイリスパターン登録装置３０とを具備して構成される。
自動取引装置１２０の外見は、図１の自動取引装置１００の外見と同様であるためその説明を省略する。また、自動取引装置１２０の構成は図６と同様であるためその説明を省略する。
【００４３】
上記ホストコンピュータ６０は、自動取引装置１２０から顧客の映像から取得したアイリスパターンと操作パネル７から入力された暗証番号を受け取って制御部４２に渡す通信制御部４１と、口座番号と暗証番号の対応テーブルを記憶する暗証番号保持部４３と、自動取引装置１２０から受け取った口座番号と暗証番号および口座番号と暗証番号の前記対応テーブルに基づいて本人確認を行う本人確認処理部４４と、顧客の取り引きの内容を記憶する取引データベース４５と、暗証番号とアイリスパターンの対応テーブルを記憶するアイリスパターンデータベース４６と、自動取引装置１２０から受け取った暗証番号とアイリスパターンおよび暗証番号とアイリスパターンの前記対応テーブルに基づいて本人確認を行う照合部４７とを具備した構成である。
【００４４】
上記アイリスパターン登録装置３０の構成は、図３のアイリスパターン登録装置と同様であるが、アイリス特徴抽出部３２は、抽出したアイリスパターンをカードに書き込む代わりに上記ホストコンピュータ４０に送信する。
次に、前記自動取引システム５００の動作について説明する。
年金を受けるときは、まず、顧客が操作パネル７を用いて暗証番号を入力する。すると、取引制御部１４は、その暗証番号を通信制御部１５に渡す。
【００４５】
一方、カメラ１０は顧客の頭部の映像を撮り込み、アイリス特徴抽出部１１はその顧客の頭部の映像に対して前処理を行って目の映像とその目の映像からアイリスを切り出すと共に切り出したアイリスのアイリスパターンを抽出して通信制御部１５に渡す。
通信制御部１５は、前記暗証番号とアイリスパターンをホストコンピュータ６０に送信する。
【００４６】
次に、ホストコンピュータ６０の制御部４２は、通信制御部４１を介して前記暗証番号と前記アイリスパターンとを受け取ると共に、それらの暗証番号とアイリスパターンを照合部４７に渡す。照合部４７は、アイリスパターンデータベース４６の暗証番号とアイリスパターンの対応テーブルを検索して前記暗証番号に対応する全てのカード所有者のアイリスパターンを割り出し、顧客の映像から取得した前記アイリスパターンと前記全てのカード所有者のアイリスパターンとを比較することによりそれらのアイリスパターン間の一致度を求めて制御部４２および通信制御部４１を介して自動取引装置１２０に送信する。
【００４７】
なお、アイリスパターンデータベースに多数のアイリスパターンが記録されている場合、その全てを参照するには時間がかかるため、アイリスパターンを暗証番号と対応させておけば、たとえ、同一の暗証番号を使用している利用者がいたとしてもごくその数が少ないため、照合対象が絞られ、迅速にアイリスパターンデータベースの照合ができる。
【００４８】
自動取引装置１２０の取引制御部１４は、前記一致度に基づいて、顧客が利用者であるか否かを判断すると共に、顧客がカード所有者であると判断した場合に前記顧客に操作パネル７から取引データ（例えば、金額等）を入力するように指示をする。そして、顧客が入力した暗証番号と取引データをホストコンピュータ６０に送信する。一方、取引制御部１４は、顧客が利用者でないと判断した場合に、前記顧客による取り引きが実行できないようにする。
【００４９】
ホストコンピュータ５０の制御部４２は、前記取引データを受け取って、その取引データに基づく取り引きを開始する。
上記自動取引システム５００によれば、カードがなくても本人確認ができるようになる。
【００５０】
【発明の効果】
以上説明したように、本発明では、顧客のアイリスパターンを取得するアイリスパターン取得手段と、顧客のカードからそのカードに予め登録されたアイリスパターンを読み取るカード読取手段と、顧客の前記アイリスパターンとカードから読み取った前記アイリスパターンとを照合して、前記顧客が前記カードの所有者か否かを判定する照合手段と、前記照合手段の判定結果に基づいて、前記顧客による所定の取引を制御する取引制御手段とを具備して自動取引装置を構成する。これにより、アイリスパターンによる本人確認と従来の暗証番号による本人確認とを行うことが可能となるため、本人確認の精度を向上させることができるようになる。
【図面の簡単な説明】
【図１】本発明の第１の実施の形態の自動取引装置の外見斜視図である。
【図２】図１の自動取引装置の要部構成図である。
【図３】アイリスパターン登録装置の詳細構成図である。
【図４】本発明の第２の実施の形態の自動取引システムの要部構成図である。
【図５】本発明の第３の実施の形態の自動取引システムの要部構成図である。
【図６】本発明の第４の実施の形態の自動取引システムの要部構成図である。
【図７】本発明の第５の実施の形態の自動取引システムの要部構成図である。
【符号の説明】
１００          自動取引装置
２００〜５００  自動取引システム
３              カード挿入排出口
７              操作パネル
１０            カメラ
１１            アイリス特徴抽出部
１２            カード読取部
１３            照合部
１４            取引制御部
Ｃ，Ｄ          カード
【図１】
0003608067.tif 000002
【図２】
0003608067.tif 000003
【図３】
0003608067.tif 000004
【図４】
0003608067.tif 000005
【図５】
0003608067.tif 000006
【図６】
0003608067.tif 000007
【図７】
0003608067.tif 000008